(57)【要約】【課題】片溝キーの側面を上下反転させて用いても、施錠及び解錠の操作を可能としたシリンダ錠を提供する。【解決手段】キープレート１１の一側面のみにキー幅方向で上下非対称の内溝４３が形成された片溝キー４０により施錠及び解錠を行うシリンダ錠１０は、筒状のロータケース１２と、ロータケース１２の内部に回転可能に収容され、回転軸線方向に形成されたキー挿入孔２１、及びキー挿入孔２１に連通して交差する方向に形成された複数のタンブラ収容孔２４を有するロータ２０と、タンブラ収容孔２４にバネ部材２７を介して移動可能に収容され、キー挿入孔２１に連通するタンブラ孔３３を有する複数のタンブラ３０とを備えている。タンブラ孔３３は、内溝４３に係合可能な第１の係合突部３６ａと、キープレート１１の側面を上下反転させた状態で内溝４３に係合可能な第２の係合突部３６ｂとを有している。【選択図】図２
2016108869.tif 000002
【特許請求の範囲】
【請求項１】
キープレートの一側面のみにキー幅方向で上下非対称の内溝が形成された片溝キーにより施錠及び解錠を行うシリンダ錠であって、
筒状のロータケースと、
前記ロータケースの内部に回転可能に収容され、回転軸線方向に形成されたキー挿入孔、及び前記キー挿入孔に連通して交差する方向に形成された複数のタンブラ収容孔を有するロータと、
前記タンブラ収容孔にバネ部材を介して移動可能に収容され、前記キー挿入孔に連通するタンブラ孔を有する複数のタンブラと、
を備え、
前記タンブラ孔は、前記内溝に係合可能な第１の係合突部と、前記キープレートの側面を上下反転させた状態で前記内溝に係合可能な第２の係合突部とを有していることを特徴とするシリンダ錠。
【請求項２】
前記タンブラ収容孔は、前記タンブラを前記バネ部材の付勢力に抗して移動可能に収容する第１のタンブラ収容孔と、前記タンブラを前記バネ部材の付勢力とは反対方向の付勢力に抗して移動可能に収容する第２のタンブラ収容孔とを有していることを特徴とする請求項１記載のシリンダ錠。
【請求項３】
前記タンブラ孔は、前記キープレートの一側面に対向する第１の対向内面と前記キープレートの他側面に対向する第２の対向内面とを有し、
前記第１の対向内面には、前記第１の係合突部が突出して形成され、
前記第２の対向内面には、前記第２の係合突部が突出して形成されていることを特徴とする請求項１又は２記載のシリンダ錠。
【発明の詳細な説明】
【技術分野】
【０００１】
本発明は、メカニカルキーにより施錠及び解錠を行うシリンダ錠に関する。
【背景技術】
【０００２】
メカニカルキーにより施錠及び解錠を行うシリンダ錠の一例としては、例えばキープレートの一側面のみに内溝が形成された片溝キーにより施錠及び解錠を行うシリンダ錠が提案されている（例えば、特許文献１参照。）。
【０００３】
上記特許文献１に記載されたシリンダ錠は、円筒の内周面に係合凹部を有するシリンダを備えている。シリンダの円筒内には、ロータが回転可能に収容されている。ロータの内部には、第１の板タンブラと第２の板タンブラとを互い違いに当接した状態を一組のタンブラとして、複数組のタンブラがロータ回転軸線方向に沿って配列されている。
【０００４】
第１の板タンブラ及び第２の板タンブラの平坦面に形成された片溝キー挿通用のタンブラ孔には、片溝キーの内溝に係合する係合突部が形成されている。第１の板タンブラの係合突部及び第２の板タンブラの係合突部は、互いに逆方向に付勢された状態で片溝キーの内溝に係合される。
【０００５】
片溝キーがロータのキー差込孔に差し込まれていない場合は、全てのタンブラの端部がシリンダの係合凹部に係合されており、ロータの回転を阻止する施錠状態が維持される。
【０００６】
一方、片溝キーがロータのキー差込孔に差し込まれた場合は、全てのタンブラの係合突部が片溝キーの内溝に係合する。各タンブラは、付勢力に抗してロータ径方向内方に移動してロータ内に没入される。タンブラの端部とシリンダの係合凹部との係合は解除され、シリンダ錠は、ロータの回転を許容する解錠状態となる。
【先行技術文献】
【特許文献】
【０００７】
【特許文献１】特開２００５−３４４３０５号公報
【発明の概要】
【発明が解決しようとする課題】
【０００８】
片溝キーの内溝は、キー幅方向で上下非対称に構成されており、キープレートの側面を上下反転させて片溝キーをロータのキー差込孔に差し込んでも、タンブラの係合突部と片溝キーの内溝との段差が一致しない。片溝キーの側面を上下反転させても、シリンダ錠の施錠及び解錠の操作を可能としたリバーシブル機能を有していないため、片溝キーにより施錠及び解錠を行うシリンダ錠の利便性を高めたいという要望があった。
【０００９】
本発明の目的は、片溝キーの側面を上下反転させて用いても、施錠及び解錠の操作を可能としたシリンダ錠を提供することにある。
【課題を解決するための手段】
【００１０】
［１］本発明は、キープレートの一側面のみにキー幅方向で上下非対称の内溝が形成された片溝キーにより施錠及び解錠を行うシリンダ錠であって、筒状のロータケースと、前記ロータケースの内部に回転可能に収容され、回転軸線方向に形成されたキー挿入孔、及び前記キー挿入孔に連通して交差する方向に形成された複数のタンブラ収容孔を有するロータと、前記タンブラ収容孔にバネ部材を介して移動可能に収容され、前記キー挿入孔に連通するタンブラ孔を有する複数のタンブラと、を備え、前記タンブラ孔は、前記内溝に係合可能な第１の係合突部と、前記キープレートの側面を上下反転させた状態で前記内溝に係合可能な第２の係合突部とを有していることを特徴とするシリンダ錠にある。
【００１１】
［２］上記［１］記載の前記タンブラ収容孔は、前記タンブラを前記バネ部材の付勢力に抗して移動可能に収容する第１のタンブラ収容孔と、前記タンブラを前記バネ部材の付勢力とは反対方向の付勢力に抗して移動可能に収容する第２のタンブラ収容孔とを有していることを特徴とする。
【００１２】
［３］上記［１］又は［２］記載の前記タンブラ孔は、前記キープレートの一側面に対向する第１の対向内面と前記キープレートの他側面に対向する第２の対向内面とを有し、前記第１の対向内面には、前記第１の係合突部が突出して形成され、前記第２の対向内面には、前記第２の係合突部が突出して形成されていることを特徴とする。
【発明の効果】
【００１３】
本発明によると、片溝キーの側面を上下反転させて用いることができるようになり、片溝キーにより施錠及び解錠を行うシリンダ錠の利便性を向上させることが可能になる。
【図面の簡単な説明】
【００１４】
【図１】本発明に好適な第１の実施の形態に係るシリンダ錠を説明するための斜視図である。
【図２】第１の実施の形態に係るシリンダ錠に用いられるロータの要部分解斜視図である。
【図３】（ａ）は、第１の実施の形態に係るシリンダ錠に用いられる片溝キーの一例を説明するための一部切欠平面図、（ｂ）は、図２のロータを上方向からみたときの平面図であり、（ｃ）は、図２のロータを下方向からみたときの平面図である。
【図４】図３（ｂ）のＩＶ−ＩＶ線矢視断面拡大図である。
【図５】図３（ｃ）のＶ−Ｖ線矢視断面拡大図である。
【図６】（ａ）は、図４に対応した位置に配置されるタンブラの平面図であって、片溝キーの側面を上下反転させたときのタンブラとの係合状態を説明するための図、（ｂ）は、図５に対応した位置に配置されるタンブラの平面図であって、片溝キーの側面を上下反転させたときのタンブラとの係合状態を説明するための図である。
【図７】第２の実施の形態に係るシリンダ錠に用いられるタンブラの平面図である。
【発明を実施するための形態】
【００１５】
以下、本発明の好適な実施の形態を添付図面に基づいて具体的に説明する。
【００１６】
［第１の実施の形態］
（シリンダ錠の外観構成）
図１において、全体を示す符号１０は、第１の実施の形態における典型的なシリンダ錠を例示している。このシリンダ錠１０には、車体のドアに組み付けられるキーシリンダ１１が設けられている。
【００１７】
キーシリンダ１１は、円筒形状のロータケース１２と、ロータケース１２の内部に回転可能に収容支持されるロータ２０とを備えている。キーシリンダ１１の前端側外周には、図示しないドアパネルに取り付けるための取付カバー１３が取り付けられている。
【００１８】
シリンダ錠１０は、メカニカルキーである片溝キー４０の回転操作を伝達可能な連結装置１を介して車体に組み付けられた図示しないドアロック機構に連結されている。連結装置１は、図示しないスリーブを介してキーシリンダ１１のロータ２０と同一軸線上に一体回転可能に連結されたホルダ２と、基端部がホルダ２に傾倒可能に連結された長尺棒状のレバー３とを備えている。レバー３の先端部はドアロック機構に連結される。
【００１９】
（片溝キーの構成）
片溝キー４０は、図１及び図３（ａ）に示すように、把持部４１に一体化された長尺板状のキープレート４２を有している。キープレート４２の表面である一側面には、波状の起伏を有する内溝４３がキー挿抜方向に沿って形成されている。
【００２０】
片溝キー４０の内溝４３は、キー幅方向で上下非対称に構成された第１の内面４４及び第２の内面４５を有している。内溝４３の第１の内面４４には、板状のタンブラ３０に係合する４つの第１の係合部４４ａ〜４４ｄがキー挿抜方向に沿って形成されている。一方の内溝４３の第２の内面４５には、板状のタンブラ３０に係合する４つの第２の係合部４５ａ〜４５ｄがキー挿抜方向に沿って形成されている。
【００２１】
（シリンダ錠の内部構成）
キーシリンダ１１のロータ２０は、図１及び図２に示すように、片溝キー４０を挿入するためのキー挿入孔２１が形成された前端部２２と前端部２２の反対側に配置された後端部２３とを有する円筒体からなり、キー挿入孔２１に差し込んだ片溝キー４０により、キー挿入孔２１を正面からみてロック位置とロック解除位置との間に回転操作可能に構成されている。
【００２２】
ロータ２０の外周面には、開口を介して径方向に貫通する４つのタンブラ収容孔２４，…，２４が回転軸線方向に沿って形成されている。タンブラ収容孔２４には、ロータ２０の上方外周面の開口から挿入される４個の上タンブラ３１ａ〜３１ｄと、下方外周面の開口から挿入される４個の下タンブラ３２ａ〜３２ｄとが移動可能に収容されている。
【００２３】
図示例によれば、タンブラ収容孔２４は、下タンブラ３２と上タンブラ３１とを上下互い違いに対向させた状態で収容する第１及び第２のタンブラ収容孔２５，２６を一組の収容室として構成されており、この一組の収容室がロータ２０の回転軸線方向に所定の間隔をもって４つの収容室に区分されている。
【００２４】
タンブラ収容孔２４の一端には、コイルばね２７を収容するばね収容孔２４ａが連通して形成されている。コイルばね２７は、片溝キー４０の内溝４３の起伏に応じて、上タンブラ３１ａ〜３１ｄ及び下タンブラ３２ａ〜３２ｄを互いに反対方向へ付勢する。
【００２５】
上タンブラ３１ａ〜３１ｄは、図２、図４及び図５に示すように、コイルばね２７のばね力によりロータ２０の上方外周面に向けて付勢され、下タンブラ３２ａ〜３２ｄは、コイルばね２７のばね力によりロータ２０の下方外周面に向けて付勢される。
【００２６】
上タンブラ３１ａ〜３１ｄ及び下タンブラ３２ａ〜３２ｄの移動方向両端部には、キーシリンダ１１の内外周面に貫通して形成された係合孔１１ａに係合する突端部３４，３４が突出して形成されており、上タンブラ３１ａ〜３１ｄ及び下タンブラ３２ａ〜３２ｄの一側端面には、コイルばね２７のばね力を受けるばね受部３５が突出して形成されている。
【００２７】
上タンブラ３１ａ〜３１ｄ及び下タンブラ３２ａ〜３２ｄの平坦面の中間部には、片溝キー４０を挿通する略四角形状のタンブラ孔３３が貫通して形成されている。
【００２８】
このタンブラ孔３３は、片溝キー４０の一側面に対向する第１の対向内面３３ａと片溝キー４０の他側面に対向する第２の対向内面３３ｂとを有している。第１の対向内面３３ａには、第１の係合突部３６ａが突出して形成されている。この第１の係合突部３６ａは、片溝キー４０の第１の係合部４４ａ〜４４ｄに係合する。
【００２９】
一方の第２の対向内面３３ｂには、第１の係合突部３６ａに対向する第２の係合突部３６ｂが突出して形成されている。この第２の係合突部３６ｂは、片溝キー４０の第２の係合部４５ａ〜４５ｄに係合する。
【００３０】
片溝キー４０の第１の係合部４４ａ〜４４ｄにあっては、図３（ａ）〜図３（ｃ）に示すように、４個の上タンブラ３１ａ〜３１ｄの第１の係合突部３６ａに対応する位置として、キー挿抜方向の中心軸Ｘの上側４箇所の位置Ｐ１〜Ｐ４が割り当てられている。
【００３１】
一方、片溝キー４０の第２の係合部４５ａ〜４５ｄにあっては、４個の下タンブラ３２ａ〜３２ｄの第２の係合突部３６ｂに対応する位置として、キー挿抜方向の中心軸Ｘの下側４箇所の位置Ｐ５〜Ｐ８が割り当てられている。
【００３２】
上タンブラ３１用の第１の係合突部３６ａ及び下タンブラ３２用の第２の係合突部３６ｂは、ロータ４０のタンブラ収容孔２４に没入させるための照合突起として機能する。
【００３３】
４個の上タンブラ３１用の第１の係合突部３６ａは、片溝キー４０がタンブラ孔３３に挿通された状態で、位置Ｐ１〜Ｐ４に対応する位置に形成されている。一方、４個の下タンブラ３２用の第２の係合突部３６ｂは、片溝キー４０がタンブラ孔３３に挿通された状態で、位置Ｐ５〜Ｐ８に対応する位置に形成されている。
【００３４】
ロータ２０のキー挿入孔２１に片溝キー４０を挿通していない場合は、全てのタンブラ３０がロータ２０のタンブラ収容孔２４の開口を介してシリンダ１１の係合孔１１ａに係合している。従って、ロータ２０は、シリンダ１１に対して回転不能となり、ロータ２０の回転を阻止する施錠状態が維持される。
【００３５】
一方、片溝キー４０がロータ２０のキー挿入孔２１を介して上タンブラ３１及び下タンブラ３２のタンブラ孔３３に挿通された場合は、図４及び図５に示すように、全ての上タンブラ３１及び下タンブラ３２とシリンダ１１の係合孔１１ａとの係合が解除される。
【００３６】
全ての上タンブラ３１は、ばね受部３５にコイルばね２７のばね力を上方に受けながら、シリンダ１１の係合孔１１ａを介してロータ２０のタンブラ収容孔２４内を下方に移動する。上タンブラ３１用の第１の係合突部３６ａのそれぞれは、片溝キー４０の第１の係合部４４ａ〜４４ｄに係合する。
【００３７】
一方、全ての下タンブラ３２は、ばね受部３５にコイルばね２７のばね力を下方に受けながら、シリンダ１１の係合孔１１ａを介してロータ２０のタンブラ収容孔２４内を上方に移動する。下タンブラ３２用の第２の係合突部３６ｂのそれぞれは、片溝キー４０の第２の係合部４５ａ〜４５ｄに係合する。
【００３８】
従って、上タンブラ３１用の第１の係合突部３６ａ及び下タンブラ３２用の第２の係合突部３６ｂとシリンダ１１の係合孔１１ａとの係合は解除され、シリンダ１１に対してロータ２０の回転を許容する解錠状態となる。
【００３９】
（リバーシブル仕様の構成）
上記のように構成されたシリンダ錠１０は、図３（ａ）〜図６（ｂ）に示すように、内溝４３の起伏が幅方向で上下非対称に構成された片溝キー４０の側面を上下反転させることで使用しても、施錠及び解錠の操作を可能としたリバーシブル仕様として構成されている。
【００４０】
キープレート４２の側面を上下反転させた内溝４３の第１の係合部４４ａ〜４４ｄにあっては、図３（ａ）に示すように、キー挿抜方向の中心軸Ｘの上側４箇所の位置Ｐ１〜Ｐ４に対応する位置として、キー挿抜方向の中心軸Ｘの下側４箇所の位置Ｐ１１，Ｐ２１，Ｐ３１，Ｐ４１が割り当てられている。
【００４１】
一方、キープレート４２の側面を上下反転させた内溝４３の第２の係合部４５ａ〜４５ｄにあっては、キー挿抜方向の中心軸Ｘの下側４箇所の位置Ｐ５〜Ｐ８に対応する位置として、キー挿抜方向の中心軸Ｘの上側４箇所の位置Ｐ５１，Ｐ６１，Ｐ７１，Ｐ８１が割り当てられている。
【００４２】
上タンブラ３１においては、図４及び図６（ａ）に示すように、キープレート４２の側面を上下反転させた状態で、片溝キー４０の第２の係合部４５ａ〜４５ｄには、第２の係合突部３６ｂが係合される。一方の下タンブラ３２においては、図５及び図６（ｂ）に示すように、キープレート４２の側面を上下反転させた状態で、片溝キー４０の第１の係合部４４ａ〜４４ｄには、第１の係合突部３６ａが係合される。
【００４３】
上タンブラ３１用の第２の係合突部３６ｂ及び下タンブラ３２用の第１の係合突部３６ａは、キープレート４２の側面を上下反転させた状態でロータ４０のタンブラ収容孔２４に没入させるための照合突起として機能する。
【００４４】
４個の上タンブラ３１用の第２の係合突部３６ｂは、図３（ａ）、図４及び図６（ａ）に示すように、キープレート４２の側面を上下反転させた片溝キー４０がタンブラ孔３３に挿通された状態で、位置Ｐ１１，Ｐ２１，Ｐ３１，Ｐ４１と対応する位置に形成されている。
【００４５】
一方、４個の下タンブラ３２用の第１の係合突部３６ａは、図３（ａ）、図５及び図６（ｂ）に示すように、キープレート４２の側面を上下反転させた片溝キー４０がタンブラ孔３３に挿通された状態で、位置Ｐ５１，Ｐ６１，Ｐ７１，Ｐ８１と対応する位置に形成されている。
【００４６】
片溝キー４０の側面を上下反転させて、片溝キー４０がロータ２０のキー挿入孔２１を介して上タンブラ３１ａ〜３１ｄ及び下タンブラ３２ａ〜３２ｄのタンブラ孔３３に挿通されると、全ての上タンブラ３１ａ〜３１ｄは、図３（ａ）、図４及び図６（ａ）に示すように、ばね受部３５にコイルばね２７のばね力を上方に受けながら、シリンダ１１の係合孔１１ａを介してロータ２０のタンブラ収容孔２４内を下方に移動する。上タンブラ３１ａ〜３１ｄ用の第２の係合突部３６ｂのそれぞれは、片溝キー４０の位置Ｐ１１，Ｐ２１，Ｐ３１，Ｐ４１に係合する。
【００４７】
一方、全ての下タンブラ３２ａ〜３２ｄは、図３（ａ）、図５及び図６（ｂ）に示すように、ばね受部３５にコイルばね２７のばね力を下方に受けながら、シリンダ１１の係合孔１１ａを介してロータ２０のタンブラ収容孔２４内を上方に移動する。下タンブラ３２ａ〜３２ｄ用の第１の係合突部３６ａのそれぞれは、片溝キー４０の位置Ｐ５１，Ｐ６１，Ｐ７１，Ｐ８１に係合する。
【００４８】
従って、上タンブラ３１ａ〜３１ｄ用の第２の係合突部３６ｂ及び下タンブラ３２ａ〜３２ｄ用の第１の係合突部３６ａとシリンダ１１の係合孔１１ａとの係合は解除され、シリンダ１１に対してロータ２０の回転を許容する解錠状態となる。
【００４９】
（第１の実施の形態の効果）
以上のように構成されたシリンダ錠１０によれば、上記効果に加えて以下の効果が得られる。
【００５０】
（１）キープレート４２の一側面のみに内溝４３が形成された片溝キー４０であっても、キー挿抜方向の規制がないシリンダ構造を得ることができる。
（２）片溝キー４０によりメカニカルキーを薄型化及び小型化することが可能になり、片溝キー４０に対応するシリンダ錠１０にあっても小型化することができる。
（３）キープレート４２の表裏面を気にする必要がなくなり、キー溝が外側に形成された外溝キーに比べて、シリンダ錠１０に容易に差し込むことができる。
（４）キープレート４２をキーケースに折り畳み込んで収納可能なジャックナイフキー等の操作性を落とすことなく、キープレート４２の両側面に内溝が形成された両溝キーに代えて、片溝キー４０を採用することができる。
【００５１】
［第２の実施の形態］
図７を参照すると、同図には、第２の実施の形態に係るシリンダ錠１０に用いられるタンブラ３１の一構成例が示されている。この第２の実施の形態では、タンブラ３１の位置決め突部３７ａ，３７ｂの構成を除いて、他の構成は上記第１の実施の形態と同様の構成を備えている。従って、上記第１の実施の形態で用いた部材符号と同じ部材符号を用いることで、その部材に関する詳細な説明は省略する。
【００５２】
図７において、上タンブラ３１におけるタンブラ孔３３の第１の対向内面３３ａには、片溝キー４０の内溝４３に係合可能な第１の係合突部３６ａと第１の位置決め突部３７ａとが上下方向に並んで突出して形成されている。
【００５３】
一方、タンブラ孔３３の第２の対向内面３３ｂには、第１の係合突部３６ａに対向する第２の係合突部３６ｂと第１の位置決め突部３７ａに対向する第２の位置決め突部３７ｂとが上下方向に並んで突出して形成されている。
【００５４】
この第１の位置決め突部３７ａと第２の位置決め突部３７ｂとは、ロータ２０のタンブラ収容孔２４にタンブラ３１の位置や姿勢を決める機能を有している。片溝キー４０を上タンブラ３１のタンブラ孔３３に挿通すると、タンブラ３１の位置決め突部３７ａ，３７ｂは、キープレート４２の両側面に接触しながらガイドされる。
【００５５】
（第２の実施の形態の効果）
この第２の実施の形態にあっても、上記第１の実施の形態と同様の効果が得られる。それに加えて、次の効果が得られる。
【００５６】
タンブラ３１の強度低下を防止することができるとともに、ロータ２０のタンブラ収容孔２４にタンブラ３１を円滑に移動させることができる。
【００５７】
［変形例］
以上より、本発明における入力装置１の代表的な構成例を上記各実施の形態、変形例及び図示例を挙げて説明したが、次に示すような変形例も可能である。
【００５８】
上記第１の実施の形態にあっては、上タンブラ３１と下タンブラ３２とを上下互い違いに対向させた状態で収容する第１及び第２のタンブラ収容孔２５，２６を有するロータ２０を設けた構成であったが、下タンブラ３２を排除して上タンブラ３１を収容する第２のタンブラ収容孔２６を有するロータ２０を設けた構成にも適用することができる。
【００５９】
タンブラ３０の設置個数や配置位置等は、任意に設定することができるものであり、図示例に限定されるものではない。タンブラ３０の第１及び第２の係合突部３６ａ，３６ｂの設置個数や配置位置等は、片溝キー４０の内溝４３の形状や段数等に応じて適宜に決められる。
【００６０】
上記各実施の形態にあっては、車両ドアを機械的な操作により施錠及び解錠するシリンダ錠１０を例示したが、これに限定されるものでなく、例えば住宅のドアやその他のドア等のシリンダ錠に適用することができることは勿論である。
【００６１】
以上の説明からも明らかなように、本発明における代表的な実施の形態、変形例及び図示例を例示したが、上記実施の形態、変形例及び図示例は特許請求の範囲に係る発明を限定するものではない。従って、上記実施の形態、変形例及び図示例の中で説明した特徴の組合せの全てが発明の課題を解決するための手段に必須であるとは限らない点に留意すべきである。
【符号の説明】
【００６２】
１…連結装置、２…ホルダ、３…レバー、１０…シリンダ錠、１１…キーシリンダ、１１ａ…係合孔、１２…ロータケース、１３…取付カバー、２０…ロータ、２１…キー挿入孔、２２…前端部、２３…後端部、２４…タンブラ収容孔、２４ａ…ばね収容孔、２５…第１のタンブラ収容孔、２６…第２のタンブラ収容孔、２７…コイルばね、３０…タンブラ、３１，３１ａ〜３１ｄ…上タンブラ、３２，３２ａ〜３２ｄ…下タンブラ、３３…タンブラ孔、３３ａ…第１の対向内面、３３ｂ…第２の対向内面、３４…突端部、３５…ばね受部、３６ａ…第１の係合突部、３６ｂ…第２の係合突部、３７ａ…第１の位置決め突部、３７ｂ…第２の位置決め突部、４０…片溝キー、４１…把持部、４２…キープレート、４３…内溝、４４…第１の内面、４４ａ〜４４ｄ…第１の係合部、４５…第２の内面、４５ａ〜４５ｄ…第２の係合部、Ｐ１〜Ｐ８，Ｐ１１，Ｐ２１，Ｐ３１，Ｐ４１，Ｐ５１，Ｐ６１，Ｐ７１，Ｐ８１…位置、Ｘ…中心軸
【図１】
2016108869.tif 000003
【図２】
2016108869.tif 000004
【図３】
2016108869.tif 000005
【図４】
2016108869.tif 000006
【図５】
2016108869.tif 000007
【図６】
2016108869.tif 000008
【図７】
2016108869.tif 000009